(57)【要約】【課題】体液の漏れの機能を維持することができる吸収性物品を提供する。【解決手段】吸収性物品は、前後方向と、前後方向に直交する幅方向と、前胴回り域と、後胴回り域と、前胴回り域と後胴回り域との間に配置された股下域と、少なくとも股下域に設けられ、少なくとも吸収コアを有する吸収性本体と、少なくとも前胴回り域において吸収性本体の肌面側に配置されたカバーシートと、を有する。カバーシートは、吸収性本体に接合されていない非接合領域と、幅方向における非接合領域の両側で吸収性本体に接合されたサイド接合領域と、を有する。カバーシートの後端縁は、吸収コアの前端縁よりも前側に位置する。【選択図】図４
2019118490.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
少なくとも前記股下域に設けられ、少なくとも吸収コアを有する吸収性本体と、
少なくとも前記前胴回り域において前記吸収性本体の肌面側に配置されたカバーシートと、を有し、
前記カバーシートは、前記吸収性本体に接合されていない非接合領域と、
前記幅方向における前記非接合領域の両側で前記吸収性本体に接合されたサイド接合領域と、を有し、
前記カバーシートの後端縁は、前記吸収コアの前端縁よりも前側に位置する、吸収性物品。
【請求項２】
前記幅方向に伸縮可能な第１弾性部材が、前記カバーシートの前記非接合領域に設けられている、請求項１に記載の吸収性物品。
【請求項３】
前記第１弾性部材の有効長部分は、前記幅方向において前記サイド接合領域よりも外側へ延びている、請求項２に記載の吸収性物品。
【請求項４】
前記幅方向に伸縮可能な第２弾性部材が、前記前胴回り域において前記吸収性本体よりも非肌面側に設けられており、
前記第１弾性部材は、前記前胴回り域のうち幅方向における応力が最も高い領域と厚み方向において重なっている、請求項２又は３に記載の吸収性物品。
【請求項５】
前記カバーシートは、前記非接合領域の前側に隣接し、前記吸収性本体に接合された前側接合領域を有しており、
前記前側接合領域は、前記吸収性本体の前端縁よりも後側に設けられている、請求項１から４のいずれか１項に記載の吸収性物品。
【請求項６】
前記吸収性本体は、前記吸収コアの非肌面側に設けられた不透液性シートを有し、
前記前側接合領域は、厚み方向において前記不透液性シートに重なっている、請求項５に記載の吸収性物品。
【請求項７】
前記幅方向における前記前側接合領域の長さは、前記幅方向における前記非接合領域の長さよりも長い、請求項５又は６に記載の吸収性物品。
【請求項８】
前記前後方向における前記非接合領域の長さは、保水した前記吸収コアの厚みよりも長い、請求項１から７のいずれか１項に記載の吸収性物品。
【請求項９】
前記吸収性本体は、前記前後方向に延びるシートの起立可能部により規定される一対の防漏カフを有し、
前記一対の防漏カフは、前記幅方向における中心を挟んで両側に配置されており、
前記カバーシートの少なくとも一部は、前記防漏カフを覆っており、
前記サイド接合領域は、前記幅方向において前記防漏カフと重複する位置、又は前記防漏カフよりも外側に位置する、請求項１から８のいずれか１項に記載の吸収性物品。
【請求項１０】
前記カバーシートの前記サイド接合領域は、前記防漏カフ上に位置する、請求項９に記載の吸収性物品。
【請求項１１】
前記防漏カフは、前記前後方向に伸縮可能な第３弾性部材を有し、
前記第３弾性部材の有効長部分は、前記前後方向において前記カバーシートと同じ、又は前記カバーシートよりも前側に位置する、請求項９又は１０に記載の吸収性物品。
【請求項１２】
前記幅方向に伸縮可能な第１弾性部材が、前記カバーシートの前記非接合領域に設けられており、
前記防漏カフは、前記前後方向に伸縮可能な第３弾性部材を有し、
前記第３弾性部材の有効長部分は、前記第１弾性部材の有効長部分と交差する、請求項９から１１のいずれか１項に記載の吸収性物品。
【発明の詳細な説明】
【技術分野】
【０００１】
本発明は、例えば使い捨ておむつのような吸収性物品に関する。
【背景技術】
【０００２】
特許文献１に記載された使い捨ておむつは、前胴回り域（第１外装体）と、後胴回り域（第２外装体）と、前胴回り域と後胴回り域とを連結する吸収性本体と、を有する。吸収性本体は、液不透過性を有したバックシートと、吸収体（吸収コア）と、液透過性を有したトップシートと、を備える。
【０００３】
前胴回り域において、吸収性本体の肌面側に上部外装体が設けられている。上部外装体は、吸収性本体の前端部および後端部のＵ字形状の接着部で接着されており、吸収性本体の前後方向における中央部側、すなわち股下部側を開口端としている。上部外装体と吸収性本体との接着部に囲まれた領域は、非接着部である。これにより、上部外装体は、非接着部において、吸収性本体と遊離し、ポケットを構成する。上部外装体は、胴周り方向に伸縮する上部伸縮部材を備えている。特許文献１によれば、体液が上記ポケットに収容されることで、腹側又は背側からの体液の漏れを抑制することができる。
【先行技術文献】
【特許文献】
【０００４】
【特許文献１】特開２０１７−１４００７２号公報
【発明の概要】
【発明が解決しようとする課題】
【０００５】
特許文献１に記載された吸収性物品について、以下のような課題が生じ得ることを見出した。すなわち、特許文献１に記載された吸収性物品では、上部外装体は、吸収体（吸収コア）と厚み方向に重なっている。ここで、吸収コアが体液を吸収すると、吸収コアの厚みは増大する。このように吸収コアの厚みが増大すると、厚み方向における吸収性本体と上部外装体との間の隙間（ポケット）が小さく、又は無くなることがある。したがって、吸収コアが厚み方向に膨張したときに、ポケットが小さくなり、体液の漏れを抑制する機能が低下することがある。
【０００６】
したがって、このようなポケットによる体液の漏れの機能を維持することができる吸収性物品が望まれる。
【課題を解決するための手段】
【０００７】
一態様に係る吸収性物品は、前後方向と、前記前後方向に直交する幅方向と、前胴回り域と、後胴回り域と、前記前胴回り域と前記後胴回り域との間に配置された股下域と、少なくとも前記股下域に設けられ、少なくとも吸収コアを有する吸収性本体と、少なくとも前記前胴回り域において前記吸収性本体の肌面側に配置されたカバーシートと、を有する。前記カバーシートは、前記吸収性本体に接合されていない非接合領域と、前記幅方向における前記非接合領域の両側で前記吸収性本体に接合されたサイド接合領域と、を有する。前記カバーシートの後端縁は、前記吸収コアの前端縁よりも前側に位置する。
【図面の簡単な説明】
【０００８】
【図１】一実施形態に係る吸収性物品の模式図である。
【図２】一実施形態に係る吸収性物品の展開平面図である。
【図３】図１のＡ−Ａ線に沿った吸収性物品の断面図である。
【図４】図１の４Ａ−４Ａ線に沿った吸収性物品の断面図である。
【発明を実施するための形態】
【０００９】
（１）実施形態の概要
本明細書及び添付図面の記載により、少なくとも以下の事項が明らかとなる。
【００１０】
一態様に係る吸収性物品は、前後方向と、前記前後方向に直交する幅方向と、前胴回り域と、後胴回り域と、前記前胴回り域と前記後胴回り域との間に配置された股下域と、少なくとも前記股下域に設けられ、少なくとも吸収コアを有する吸収性本体と、少なくとも前記前胴回り域において前記吸収性本体の肌面側に配置されたカバーシートと、を有する。前記カバーシートは、前記吸収性本体に接合されていない非接合領域と、前記幅方向における前記非接合領域の両側で前記吸収性本体に接合されたサイド接合領域と、を有する。前記カバーシートの後端縁は、前記吸収コアの前端縁よりも前側に位置する。
【００１１】
吸収性本体の肌面側に配置されたカバーシートは、非接合領域と、幅方向における非接合領域の両側で吸収性本体に接合されたサイド接合領域と、によって、前側（腹側）へ伝った体液を溜めることができる隙間（ポケット）を形成する。これにより、前側への体液の漏れを抑制することができる。
【００１２】
さらに、本態様では、カバーシートの後端縁は、吸収コアの前端縁よりも前側に位置する。すなわち、カバーシートは、吸収コアと厚み方向に重なっていない。これにより、吸収コアが、体液の吸収によって厚み方向に膨張したとしても、吸収コアによってカバーシートと吸収性本体との間のポケットは小さくならない。したがって、吸収コアが体液を吸収した場合であっても、ポケットによる前側への体液の漏れを抑制する機能が維持される。
【００１３】
好ましい一態様によれば、前記幅方向に伸縮可能な第１弾性部材が、前記カバーシートの前記非接合領域に設けられている。
【００１４】
本態様によれば、第１弾性部材の収縮作用により、カバーシートの非接合領域は吸収性本体からより浮き上がり易くなり、カバーシートの非接合領域により構成されるポケットがより形成され易くなる。
【００１５】
好ましい一態様によれば、前記第１弾性部材の有効長部分は、前記幅方向において前記サイド接合領域よりも外側へ延びている。
【００１６】
これにより、幅方向においてサイド接合領域よりも外側に位置する第１弾性部材の有効長部分は、吸収性物品の装着中に、カバーシートの非接合領域、すなわちポケットを引っ張ることにより、ポケットの位置を下がり難くすることができる。これにより、幅方向におけるポケットの長さを確保することができる。さらに、第１弾性部材の有効長部分の収縮力によって、ポケットを着用者の肌側へよりフィットさせることができる。
【００１７】
好ましい一態様によれば、前記幅方向に伸縮可能な第２弾性部材が、前記前胴回り域において前記吸収性本体よりも非肌面側に設けられており、前記第１弾性部材は、前記前胴回り域のうち幅方向における応力が最も高い領域と厚み方向において重なっている。
【００１８】
前胴回り域のうち幅方向における応力が最も高い領域は、最も強く収縮しようとするため、他の領域よりも着用者の肌側に向かって変形する。この前胴回り域の変形により、カバーシートも、着用者の肌側に向かって変形する。この状態から、第１弾性部材の収縮作用によって、カバーシートがさらに着用者の肌側に向かって吸収性本体から浮きあがる。このように前胴回り域のうち幅方向における応力が最も高い領域に第１弾性部材が設けられることによって、カバーシートはよりポケットを形成し易くなる。
【００１９】
好ましい一態様によれば、前記カバーシートは、前記非接合領域の前側に隣接し、前記吸収性本体に接合された前側接合領域を有しており、前記前側接合領域は、前記吸収性本体の前端縁よりも後側に設けられている。
【００２０】
カバーシートの前側接合領域が、吸収性本体の前端縁よりも後側、すなわち吸収性本体に重なる領域に設けられているため、ポケットに入り込んだ体液が吸収性本体よりも前側（腹側）へ伝って漏れることをより抑制することができる。
【００２１】
好ましい一態様によれば、前記吸収性本体は、前記吸収コアの非肌面側に設けられた不透液性シートを有し、前記前側接合領域は、厚み方向において前記不透液性シートに重なっている。
【００２２】
本態様によれば、カバーシートの前側接合領域が、厚み方向において不透液性シートに重なっているため、カバーシートの非接合領域、すなわちポケットは、不透液性シートに重なった領域に形成される。これにより、ポケットに入った体液が吸収性本体の非肌面側から染み出すことを抑制することができる。
好ましい一態様によれば、前記幅方向における前記前側接合領域の長さは、前記幅方向における前記非接合領域の長さよりも長い。
【００２３】
これにより、非接合領域全体の前側に前側接合領域が位置するため、カバーシートの非接合領域により形成されたポケットに入った体液が前側へ漏れることを抑制することができる。
【００２４】
好ましい一態様によれば、前記前後方向における前記非接合領域の長さは、保水した前記吸収コアの厚みよりも長い。
【００２５】
本態様によれば、カバーシートの非接合領域の長さを長くすることによって、吸収コアが保水により厚み方向に膨張したとしても、カバーシートの非接合領域に形成されるポケットの厚み方向の高さを確保することができる。これにより、吸収コアが保水により膨張した状態であっても、ポケットにより体液を保持し易い。
【００２６】
好ましい一態様によれば、前記吸収性本体は、前記前後方向に延びるシートの起立可能部により規定される一対の防漏カフを有し、前記一対の防漏カフは、前記幅方向における中心を挟んで両側に配置されており前記カバーシートの少なくとも一部は、前記防漏カフを覆っており、前記サイド接合領域は、前記幅方向において前記防漏カフと重複する位置、又は前記防漏カフよりも外側に位置する。
【００２７】
本態様によれば、カバーシートが、幅方向において防漏カフと重複する位置、又は防漏カフよりも外側で吸収性本体に接合されている。そのため、防漏カフは、カバーシートの接合位置でカバーシートに押さえられるため、防漏カフがひっくり返ってしまうことを抑制することができる。これにより、幅方向におけるポケットの長さを確保することができ、幅方向の外側への体液の漏れを抑制することができる。
【００２８】
好ましい一態様によれば、前記カバーシートの前記サイド接合領域は、前記防漏カフ上に位置する。
【００２９】
本態様によれば、カバーシートのサイド接合領域が防漏カフ上に位置することにより、カバーシートと防漏カフの両方によって、吸収コアを取り囲むポケットを形成することができる。これにより、前側及び幅方向の外側への体液の漏れをより抑制することができる。
【００３０】
好ましい一態様によれば、前記防漏カフは、前記前後方向に伸縮可能な第３弾性部材を有し、前記第３弾性部材の有効長部分は、前記前後方向において前記カバーシートと同じ、又は前記カバーシートよりも前側に位置する。
【００３１】
第３弾性部材は、防漏カフを起立させるように作用する。ここで、第３弾性部材の有効長部分が、前後方向においてカバーシートと同じ、又はカバーシートよりも前側に位置するため、カバーシートよりも前側の領域において、幅方向の外側への体液の漏れを防漏カフによってより抑制することができる。
【００３２】
好ましい一態様によれば、前記幅方向に伸縮可能な第１弾性部材が、前記カバーシートの前記非接合領域に設けられており、前記防漏カフは、前記前後方向に伸縮可能な第３弾性部材を有し、前記第３弾性部材の有効長部分は、前記第１弾性部材の有効長部分と交差する。
【００３３】
第３弾性部材は、防漏カフを起立させるように作用する。ここで、第３弾性部材の有効長部分が、カバーシートの第１弾性部材の有効長部分と交差するため、防漏カフとカバーシートの起立領域（収縮領域）によって吸収コアを取り囲むポケットを形成することができる。これにより、前側及び幅方向の外側への体液の漏れをより抑制することができる。
【００３４】
（２）吸収性物品の構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３５】
図１は、一実施形態に係る吸収性物品の模式図である。図２は、一実施形態に係る吸収性物品の展開平面図である。図２は、後述するサイド係止部が展開された展開状態において吸収性物品を皺が形成されない状態まで伸長させた伸長状態を示している。図３は、図１のＡ−Ａ線に沿った吸収性物品の断面図である。図４は、図１の４Ａ−４Ａ線に沿った吸収性物品の断面図である。
【００３６】
吸収性物品１０は、展開状態において互いに直交する前後方向Ｌ及び幅方向Ｗを有する。前後方向Ｌは、身体前側（腹側）と身体後側（背側）とに延びる方向によって規定される。言い換えると、前後方向Ｌは、展開された吸収性物品１０において前後に延びる方向である。また、吸収性物品１０は、前後方向Ｌと幅方向Ｗの両方の直交する厚み方向Ｔを有する。
【００３７】
吸収性物品１０は、前胴回り域Ｓ１と、後胴回り域Ｓ２と、股下域Ｓ３と、を有する。前胴回り域Ｓ１は、着用者の前胴回りに対向する領域である。後胴回り域Ｓ２は、着用者の後胴回りに対向する領域である。股下域Ｓ３は、着用者の股下に位置し、前胴回り域Ｓ１と後胴回り域Ｓ２との間に配置された領域である。
【００３８】
本実施形態では、吸収性物品１０は、前胴回り部材２０と、後胴回り部材３０と、吸収性本体４０と、を有していてよい。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００３９】
前胴回り部材２０は、例えば、２層に重なった非肌面側シート１４と、２層に重なったカバーシート７０と、を有していてよい。図４に示す態様では、非肌面側シート１４とカバーシート７０は一体のシートから構成されている。具体的には、カバーシート７０は、非肌面側シート１４を前胴回り域Ｓ１の前端縁で折り返すことによって構成されている。この代わりに、非肌面側シート１４とカバーシート７０は別体のシートから構成されていてよい。
【００４０】
図４に示す態様では、カバーシート７０の後端縁７０ｅ付近に、幅方向Ｗに延びる第１弾性部材７１が設けられている。また、カバーシート７０は、第１弾性部材７１よりも前側で、接合部材７４、例えばホットメルト接着剤によって吸収性本体４０に接合されていてよい。
【００４１】
吸収性物品１０を前後に二分する折り線ＦＬが股下域Ｓ３を通っていてよい。折り線ＦＬは、幅方向Ｗに沿って延びている。すなわち、図１に示す状態において、吸収性物品１０は、幅方向Ｗに沿って延びる折り線ＦＬを基点に２つ折りされている。
【００４２】
幅方向Ｗにおける前胴回り域Ｓ１の端部と、幅方向Ｗにおける後胴回り域Ｓ２の端部とに、サイド係止部６０が設けられていてよい。サイド係止部６０は、幅方向Ｗにおける前胴回り域Ｓ１の端部と、幅方向Ｗにおける後胴回り域Ｓ２の端部とを互いに係止した部分によって規定される。
【００４３】
幅方向Ｗにおける前胴回り域Ｓ１の端部と、幅方向Ｗにおける後胴回り域Ｓ２の端部とが、サイド係止部６０によって係止された状態で、吸収性物品１０には、着用者の胴が通される胴回り開口部６２と、着用者の脚がそれぞれ挿入される一対の脚回り開口部６６と、が形成される。胴回り開口部６２を形成する胴回り開口縁６４は、前胴回り部材２０の前端縁と、後胴回り部材３０の後端縁とによって規定されていてよい。また、脚回り開口部６６を形成する脚回り開口縁６８は、前後方向Ｌに延びる吸収性本体４０の側辺４０ｌと、前胴回り部材２０の後側に位置する辺２０ｌと、後胴回り部材３０の前側に位置する辺３０ｌと、によって規定されていてよい。
【００４４】
ここで、図２は、サイド係止部６０における係止を解除し、吸収性物品１０を展開した状態を示している。サイド係止部６０は、前胴回り部材２０及び後胴回り部材３０のそれぞれにおいて、前後方向Ｌに沿って延びていてよい。この場合、前胴回り域Ｓ１と股下域Ｓ３との境界は、前胴回り部材２０に設けられたサイド係止部６０の後端縁によって規定されていてよい。同様に、後胴回り域Ｓ２と股下域Ｓ３との境界は、後胴回り部材３０に設けられたサイド係止部６０の前端縁によって規定されていてよい。
【００４５】
後胴回り域Ｓ２には、幅方向Ｗに伸縮可能な１本又は複数本の弾性部材３２が設けられていてよい。この代わりに、後胴回り域Ｓ２の弾性部材３２は、幅方向Ｗに伸縮可能な伸縮シートによって構成されていてもよい。
【００４６】
また、前胴回り域Ｓ１には、幅方向Ｗに伸縮可能な１本又は複数本の第２弾性部材２２が設けられていてよい。第２弾性部材２２は弾性糸によって構成されている。第２弾性部材２２は、前胴回り域Ｓ１において吸収性本体４０よりも非肌面側に設けられていてよい。さらに、前胴回り域Ｓ１に、幅方向Ｗに伸縮可能な伸縮シート９０が設けられていてもよい。伸縮シート９０は、厚み方向Ｔにおいて第２弾性部材２２と重ならない領域に設けられていてよい。
【００４７】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。
【００４８】
吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００４９】
吸収性本体４０は、少なくとも吸収体５０を含んでいる。さらに、吸収性本体４０は、吸収体５０の肌面側に位置する肌面シート４１と、吸収体５０の非肌面側に位置する非肌面シート４２と、を有していてよい。肌面シート４１は、吸収体５０の肌面側で吸収体５０を覆っていてよい。非肌面シート４２は、吸収体５０の非肌面側で吸収体５０を覆っていてよい。
【００５０】
肌面シート４１は、例えば不織布や開孔プラスチックフィルムのような透液性シートによって構成されていてよい。肌面シート４１は、１枚のシートから構成されていてもよい。この代わりに、肌面シート４１は、複数枚のシートが互いに積層された積層シートから構成されていてもよい。
【００５１】
非肌面シート４２は、不透液性シートを含んでいてよい。不透液性シートは、例えばプラスチックフィルムのような不透液性フィルムによって構成されていてよい。非肌面シート４２は、１枚のシートから構成されていてもよい。この代わりに、非肌面シート４２は、複数枚のシートが互いに積層された積層シートから構成されていてもよい。この場合、複数枚のシートのうちの少なくとも１枚が不透液性を有していてよい。
【００５２】
吸収体５０は、吸収コア５１と、吸収コアを包むコアラップ５２と、を含んでいてよい。吸収コア５１は、例えば粉砕パルプもしくは高吸収性ポリマー（ＳＡＰ）、又はこれらの混合物を含んでいてよい。コアラップ５２は、例えばティッシュ又は不織布により構成されていてよい。
【００５３】
吸収コア５１は、少なくとも股下域Ｓ３に配置されている。好ましくは、吸収コア５１は、前後方向Ｌにおいて、前胴回り域Ｓ１から後胴回り域Ｓ２にわたって延びていてよい。
【００５４】
吸収コア５１は、少なくとも股下域Ｓ３で幅方向Ｗの内側に括れた括れ領域を有していてよい。幅方向Ｗにおける吸収コア５１の最狭部は、股下域Ｓ３に設けられていてよい。この場合、折り線ＦＷは吸収コア５１の括れ領域を通っていてよい。
【００５５】
吸収性本体４０は、幅方向Ｗにおける肌面シート４１の両側部を覆うサイドシート４３を有していてもよい。サイドシート４３は、例えば不織布や開孔プラスチックフィルムのようなシートによって構成されていてよい。
【００５６】
吸収性本体４０は、一対の防漏カフ４６を有していてよい。一対の防漏カフ４６は、前胴回り域Ｓ１と後胴回り域Ｓ２との間を前後方向Ｌに延びており、幅方向Ｗにおける吸収性物品１０の中心を挟んで両側に配置されている。一対の防漏カフ４６は、着用者の肌に向かって立ち上がり可能な起立可能部（図２の範囲Ｂの部分）によって規定されている。
【００５７】
防漏カフ４６は、サイドシート４３と、サイドシート４３に設けられた第３弾性部材４７と、によって構成されていてよい。第３弾性部材４７は、前後方向に伸縮可能に構成されている。第３弾性部材４７は、１本又は複数本の糸ゴムを含んでいてよい。具体的一例として、幅方向Ｗにおけるサイドシート４３の内側部分は外側に折り返されており、サイドシート４３の折り返された部分に第３弾性部材４７が配置されている。また、幅方向Ｗにおけるサイドシート４３の内側縁は、肌面シート４１に接合されておらず、肌面シート４１から立ち上がり可能な自由端を構成する。
【００５８】
防漏カフ４６は、起立支点４６ａ及び起立頂点４６ｂを有する。起立支点４６ａ及び起立頂点４６ｂは、前胴回り域Ｓ１から後胴回り域Ｓ２にわたって前後方向Ｌに延びている。起立支点４６ａは、起立しない点であり、防漏カフ４６の根本に相当する。本実施形態では、起立支点４６ａは、サイドシート４３と肌面シート４１の接合部のうちの幅方向Ｗの内側の縁線に相当する。起立頂点４６ｂは、防漏カフ４６が立ち上がったときの防漏カフ４６の頂点に相当する。すなわち、起立頂点４６ｂは、防漏カフ４６の自由端である。
【００５９】
吸収性本体４０は、幅方向Ｗにおける一対の防漏カフ４６の外側の領域に、一対のギャザー４８を有していてもよい。一対のギャザー４８は、前胴回り域Ｓ１から後胴回り域Ｓ２にわたって前後方向Ｌに延びていてよい。
【００６０】
一対のギャザー４８は、吸収性本体４０を構成するシートに取り付けられた第４弾性部材４９によって構成されていてよい。第４弾性部材４９は、例えば１本又は複数本の糸ゴムであってよい。この代わりに、第４弾性部材４９は、例えば伸縮性を有する弾性シートであってもよい。第４弾性部材４９は、自然状態から伸張した状態で吸収性本体４０を構成するシートに接合されている。これにより、第４弾性部材４９は、吸収性本体４０を前後方向Ｌに収縮させるように作用し、ギャザーを形成することができる。
【００６１】
本実施形態では、カバーシート７０は、少なくとも前胴回り域Ｓ１において吸収性本体４０の肌面側に配置されている。カバーシート７０は、吸収性本体４０に接合されていない非接合領域と、幅方向Ｗにおいて当該非接合領域の両側で吸収性本体４０に接合されたサイド接合領域７２と、を有する。カバーシート７０の後端縁７０ｅは、吸収コア５１の前端縁５１ｅよりも前側に位置する（図４参照）。すなわち、カバーシート７０は、吸収性本体４０の一部を覆うが、吸収コア５１を覆ってはいない。
【００６２】
吸収性本体４０の肌面側に配置されたカバーシート７０は、非接合領域と、幅方向における非接合領域の両側で吸収性本体に接合されたサイド接合領域７２と、によって、前側（腹側）へ伝った体液を溜めることができるポケットＰを形成する。これにより、前側への体液の漏れを抑制することができる。
【００６３】
さらに、本実施形態では、カバーシート７０の後端縁７０ｅは、吸収コア５１の前端縁５１ｅよりも前側に位置する。すなわち、カバーシート７０は、吸収コア５１と厚み方向Ｔに重なっていない。これにより、吸収コア５１が、体液の吸収によって厚み方向Ｔに膨張したとしても、吸収コア５１によってカバーシート７０と吸収性本体４０との間のポケットＰは小さくなり難い。したがって、吸収コア５１が体液を吸収した場合であっても、ポケットＰによる前側への体液の漏れを抑制する機能が維持される。
【００６４】
さらに、カバーシート７０は、非接合領域の前側に隣接し、吸収性本体４０に接合された前側接合領域７４を有していてよい（図２参照）。前側接合領域７４は、吸収性本体４０の前端縁よりも後側に設けられている。すなわち、前側接合領域７４は、カバーシート７０を吸収性本体４０に接合する領域である。カバーシート７０の前側接合領域７４が、吸収性本体４０の前端縁よりも後側、すなわち吸収性本体に重なる領域に設けられているため、ポケットＰに入り込んだ体液が吸収性本体よりも前側（腹側）へ伝って漏れることをより抑制することができる。
【００６５】
幅方向Ｗにおける前側接合領域７４の長さは、幅方向Ｗにおける非接合領域の長さ、すなわち一対のサイド接合領域７２どうしの間の距離よりも長いことが好ましい。これにより、ポケットＰを形成する非接合領域全体の前側に前側接合領域７４が位置するため、カバーシート７０の非接合領域により形成されたポケットＰに入った体液が前側へ漏れることを抑制することができる。より好ましくは、前側接合領域７４は、一対のサイド接合領域７２の両方と繋がっていてよい。
【００６６】
前側接合領域７４は、厚み方向Ｔにおいて、吸収性本体４０を構成する不透液性シートに少なくとも部分的に、好ましくは全体的に重なっていることが好ましい。カバーシート７０の前側接合領域７４が、厚み方向Ｔにおいて不透液性シートに重なっているため、カバーシート７０の非接合領域、すなわちポケットＰは、不透液性シートに重なった領域に形成される。これにより、ポケットＰに入った体液が吸収性本体４０の非肌面側から染み出すことを抑制することができる。
【００６７】
カバーシート７０の少なくとも一部は、防漏カフ４６を覆っていてよい。さらに、サイド接合領域７２は、幅方向Ｗにおいて防漏カフ４６と重複する位置、又は防漏カフ４６よりも外側に位置することが好ましい。これにより、防漏カフ４６は、サイド接合領域７２でカバーシート７０に押さえられるため、防漏カフ４６がひっくり返ってしまうことを抑制することができる。これにより、幅方向ＷにおけるポケットＰの長さ確保することができ、幅方向Ｗの外側への体液の漏れを抑制することができる。
【００６８】
カバーシート７０のサイド接合領域７２が防漏カフ４２上に位置する場合、カバーシート７０と防漏カフ４２の両方によって、吸収コア５１の前側部分の周囲を取り囲むポケット空間を形成することができる。これにより、前側及び幅方向の外側への体液の漏れをより抑制することができる。
【００６９】
サイド接合領域７２の少なくとも一部は、吸収コア５１の前端部の幅方向Ｗにおける外側縁よりも外側に達していることが好ましい。これにより、カバーシート７０によって形成されるポケットＰの幅を吸収コア５１と同程度又はそれ以上にすることができる。
【００７０】
防漏カフ４６を構成する第３弾性部材４７の有効長部分Ｂは、前後方向Ｌにおいてカバーシート７０と同じ位置、又はカバーシート７０よりも前側に位置することが好ましい。本実施形態では、第３弾性部材４７の有効長部分Ｂの前側縁が、カバーシート７０の後側縁７０ｅよりも前側に達している。第３弾性部材４７は、防漏カフ４６を起立させるように作用する。ここで、第３弾性部材４７の有効長部分Ｂが、前後方向Ｌにおいてカバーシート７０と同じ位置、又はカバーシート７０よりも前側に位置するため、カバーシート７０よりも前側の領域において、幅方向Ｗの外側への体液の漏れを防漏カフ４６によってより抑制することができる。
【００７１】
好ましくは、第１弾性部材７１は、カバーシート７０の非接合領域、すなわちサイド接合領域７２どうしの間の領域に設けられている。より具体的には、第１弾性部材７１は、カバーシート７０の後側縁７０ｅ付近に幅方向Ｗに沿って設けられている。第１弾性部材７１は、伸張された状態でカバーシート７０に接合される。これにより、第１弾性部材７１は、カバーシート７０を幅方向に収縮させるように作用する。第１弾性部材７１の収縮作用により、カバーシート７０の非接合領域は吸収性本体４０からより浮き上がり易くなり、カバーシート７０の非接合領域によってポケットＰがより形成され易くなる。
【００７２】
第１弾性部材７１の有効長部分は、幅方向Ｗにおいてサイド接合領域７２よりも外側へ延びていることが好ましい。これにより、幅方向Ｗにおいてサイド接合領域７２よりも外側に位置する第１弾性部材７１の有効長部分は、吸収性物品の装着中に、カバーシート７０の非接合領域、すなわちポケットＰを引っ張ることにより、ポケットＰの位置を下がり難くすることができる。これにより、幅方向ＷにおけるポケットＰの長さを確保することができる。さらに、第１弾性部材７１の有効長部分の収縮力によって、ポケットＰを着用者の肌側へよりフィットさせることができる。
【００７３】
第１弾性部材７１の有効長部分は、防漏カフ４６を構成する第３弾性部材４７の有効長部分Ｂと交差することが好ましい。第３弾性部材４７は、防漏カフ４６を起立させるように作用する。これにより、防漏カフ４６とカバーシート７０の起立領域（収縮領域）によって吸収コア５１を取り囲むポケットＰを形成することができる。これにより、前側及び幅方向の外側への体液の漏れをより抑制することができる。
【００７４】
カバーシート７０の第１弾性部材７１は、前胴回り域Ｓ１のうち幅方向Ｗにおける応力が最も高い領域と厚み方向Ｔにおいて重なっていることがより好ましい。前胴回り域Ｓ１のうち幅方向Ｗにおける応力が最も高い領域は、最も強く収縮しようとするため、他の領域よりも着用者の肌側に向かって変形する。この前胴回り域Ｓ１の変形により、カバーシート７０も、着用者の肌側に向かって変形する。この状態から、第１弾性部材７１の収縮作用によって、カバーシート７０がさらに着用者の肌側に向かって吸収性本体４０から浮きあがる。このように前胴回り域Ｓ１のうち幅方向Ｗにおける応力が最も高い領域に第１弾性部材７１が設けられることによって、カバーシート７０はよりポケットＰを形成し易くなる。
【００７５】
ここで、前胴回り域Ｓ１のうち幅方向Ｗにおける応力が最も高い領域は、以下のように定義することができる。まず、前胴回り域Ｓ１を前後方向に５分割し、幅方向Ｗに長い５つの帯状の試験片を取得する。この５つの試験片のそれぞれを幅方向に引き伸ばすことによって、各試験片の応力を測定することができる。各試験片のうち最も高い応力を示す試験片を特定することによって、前胴回り域Ｓ１のうち幅方向Ｗにおける応力が最も高い領域を決定することができる。
【００７６】
試験片の応力は、電気機械式万能材料試験機（引張試験器：INSTRON社製、INSTRON、型式  5564）によって測定することができる。具体的には、まず、測定対象となる試験片を作成する。吸収性物品がサイド接合部を有する場合には、サイド接合部を解除し、吸収性物品を展開する。次に、吸収性物品を伸長させた伸長状態において、前胴回り域Ｓ１の前後方向の長さを測定し、前胴回り域Ｓ１を前後方向に５分割に切り出す。次に、切り出した各領域の試験片の両端部を引張試験器のチャック（挟持具）によって挟持する。次に、幅方向Ｗにおけるチャックの一方を固定した状態で、チャック間の距離を変えるようにチャックのもう一方を２往復分だけ往復移動させる。このときのチャックの移動スピードは、３００ｍｍ／ｍｉｎとする。なお、チャックの移動方向を変えるタイミングは、最大伸長時の９５％の地点とする。チャックの移動中に、チャックに係る応力を測定し、最大伸長時から６５％の際に得られた応力を、前胴回り域Ｓ１内の各領域の「応力」と定義する。なお、最大伸長時とは、弾性部材の収縮力によってシートにしわが発生しない程度まで伸ばした状態をいう。
【００７７】
前述した第１弾性部材７１及び第３弾性部材４７の有効長部分は、それぞれの弾性部材が接合されたシートに収縮作用を及ぼす部分によって規定される。例えば、有効長部分は、弾性部材４７，７１のうち、伸長された状態でシートに接合された部分によって規定することができる。この代わりに、弾性部材４７，７１の両端部がシートに接合されており、両接合部の間の部分が接合されていない場合、有効長部分は、弾性部材４７，７１の接合部どうしの間の部分によって規定することもできる。
【００７８】
前後方向においてポケットＰを形成するカバーシート７０の非接合領域の長さ、すなわち前側接合領域７４とカバーシート７０の後端縁７０ｅとの間の距離は、保水した吸収コア５１の厚みよりも長いことが好ましい。カバーシート７０の非接合領域の長さを長くすることによって、吸収コアが保水により厚み方向Ｔに膨張したとしても、カバーシート７０の非接合領域に形成されるポケットＰの厚み方向の高さを確保することができる。これにより、吸収コア５１が保水により膨張した状態であっても、ポケットＰにより体液を保持し易くなり、体液の漏れを抑制する機能が維持され易くなる。
【００７９】
本実施形態において、吸収性物品１０の各部の「長さ」に関する数値は、サイド係止部６０を解除して展開した吸収性物品１０の皺（折り線ＦＬを除く）がなくなるまで吸収性物品を伸長させた伸長状態において計測される。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８１】
例えば、上記実施形態では、吸収性本体４０は、前胴回り部材２０及び後胴回り部材３０と別体として構成されている。この代わりに、吸収性本体４０は、前胴回り部材２０及び後胴回り部材３０と一体に構成されていてもよい。
【００８２】
また、上記実施形態では、吸収性物品１０は、サイド係止部６０を有するいわゆるパンツ型の吸収性物品である。この代わりに、吸収性物品１０は、テープ型の吸収性物品であってもよい。この場合、吸収性物品１０は、サイド係止部６０を有しておらず、前胴回り域Ｓ１と後胴回り域Ｓ２とを互いに着脱可能に固定するファスニングテープを有していてよい。
【産業上の利用可能性】
【００８３】
体液の漏れの機能を維持することができる吸収性物品を提供することができる。
【符号の説明】
【００８４】
１０    吸収性物品
４０    吸収性本体
４６    防漏カフ
４７    第３弾性部材
５０    吸収体
５１    吸収コア
７０    カバーシート
７１    第１弾性部材
７２    サイド接合領域
７４    前側接合領域
Ｓ１    前胴回り域
Ｓ２    後胴回り域
Ｓ３    股下域
Ｌ      前後方向
Ｗ      幅方向
Ｔ      厚み方向
【図１】
2019118490.tif 000003
【図２】
2019118490.tif 000004
【図３】
2019118490.tif 000005
【図４】
2019118490.tif 000006